(57)【特許請求の範囲】
【請求項１】
発光する照明ユニットと、前記照明ユニットの発光を制御する発光制御手段と、を備える遊技機において、
前記照明ユニットは、
役物レンズユニットと、
前記役物レンズユニットを挟んで配置された一対のサイドレンズユニットを構成する第１サイドレンズユニット及び第２サイドレンズユニットと、
前記役物レンズユニット、前記第１サイドレンズユニット、及び前記第２サイドレンズユニットを収容する照明ユニット本体と、を備え、
前記照明ユニット本体は、
前記役物レンズユニット、前記第１サイドレンズユニット、及び前記第２サイドレンズユニットの夫々に対応する各々のカバーと、
前記役物レンズユニット、前記第１サイドレンズユニット、及び前記第２サイドレンズユニットの夫々が視認可能な状態及び視認不可能な状態になるように前記各々のカバーを駆動する駆動手段と、を備え、
前記第１サイドレンズユニット及び前記第２サイドレンズユニットの夫々は、
端部から入射した光を側面から放射しライン状に発光するライン状導光板と、
前記ライン状導光板の両端部の近傍にそれぞれ配置され、前記ライン状導光板の両端部に向けてそれぞれ光を照射する第１発光装置及び第２発光装置と、
前記ライン状導光板の両端部を狭持して前記照明ユニット本体に保持する固定部材と、
前記ライン状導光板の側面を覆って発光するサイドパネルと、を備え、
前記役物レンズユニットは、
背面から入射された光を正面に放射する略円形状の役物メインレンズと、
前記役物メインレンズの外形に沿うように形成された複数の板状体であって、背後の側縁から入射された光を正面の側縁から放射する複数の板状体が重なって形成されている役物サブレンズと、
前記役物メインレンズの背面近傍に配置され、前記役物メインレンズの背面に向けて光を照射するメインレンズＬＥＤ基板と、
前記役物サブレンズを形成する複数の板状体の背後の側縁近傍に配置され、これら複数の板状体の背後の側縁に向けて光を照射するサブレンズＬＥＤ基板と、を備え、
前記サイドパネルは、前記ライン状導光板と離間して配され、
前記発光制御手段は、演出内容に基づく光演出データに従って、前記メインレンズＬＥＤ基板及び前記サブレンズＬＥＤ基板の光度、前記サイドパネルの発光態様、前記第１発光装置及び前記第２発光装置の光度をそれぞれ調整すると共に、演出内容に基づく役物演出データに従って、前記駆動手段に前記各々のカバーを駆動させる制御を行うことを特徴とする遊技機。
【請求項２】
前記サイドパネルと前記ライン状導光板との間にメッキ部が配置されていることを特徴とする請求項１に記載の遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機は、遊技の進行にともない様々な演出が行われる。
例えば、入射した光を散乱と反射とによって側面から放出することにより発光する線状発光体、及びこの線状発光体の両端部に配置され、光を照射可能な一対の光照射部を備えた遊技機が提案されている（特許文献１）。
特許文献１の遊技機によれば、一対の光照射部を点滅させたり、両者の発光を互いに所定時間遅延させることで、光による様々な演出が行い、遊技の興趣を高めることができる。
【先行技術文献】
【特許文献】
【０００４】
【特許文献１】特開２００３−３３９９４２号公報
【発明の概要】
【発明が解決しようとする課題】
【０００５】
しかしながら、このような遊技機は、線状発光体を介して発光させているにもかかわらず、光照射部を点滅させたり、両者の発光を互いに所定時間遅延させるだけであるので、ランプ等を直接発光させる演出との差異がなかった。
【０００６】
そこで、本発明は、光による演出を多様化できる遊技機を提供することを目的とする。
【課題を解決するための手段】
【０００７】
本発明では、以下のようなものを提供する。
発光する照明ユニット（例えば、後述のセンター照明ユニット７０等）と、前記照明ユニットの発光を制御する発光制御手段（例えば、後述の副制御回路７２等）と、を備える遊技機において、前記照明ユニットは、役物レンズユニット（例えば、後述のセンター役物レンズユニット７３０等）と、前記役物レンズユニットを挟んで配置された一対のサイドレンズユニットを構成する第１サイドレンズユニット（例えば、後述のセンターサイドレンズユニット７４０Ｌ等）及び第２サイドレンズユニット（例えば、後述のセンターサイドレンズユニット７４０Ｒ等）と、前記役物レンズユニット、前記第１サイドレンズユニット、及び前記第２サイドレンズユニットを収容する照明ユニット本体（例えば、後述の役物ベース７０１等）と、を備え、前記照明ユニット本体は、前記役物レンズユニット、前記第１サイドレンズユニット、及び前記第２サイドレンズユニットの夫々に対応する各々のカバー（例えば、後述の駆動左上カバー７６１、駆動左下カバー７６２、駆動センター上カバー７６３、駆動センター下カバー７６４、駆動右上カバー７６５、駆動右下カバー７６６等）と、前記役物レンズユニット、前記第１サイドレンズユニット、及び前記第２サイドレンズユニットの夫々が視認可能な状態及び視認不可能な状態になるように前記各々のカバーを駆動する駆動手段（例えば、後述の駆動部７００等）と、を備え、前記第１サイドレンズユニット及び前記第２サイドレンズユニットの夫々は、端部から入射した光を側面から放射しライン状に発光するライン状導光板（例えば、後述のセンターラインレンズ７４１Ｌ等）と、前記ライン状導光板の両端部の近傍にそれぞれ配置され、前記ライン状導光板の両端部に向けてそれぞれ光を照射する第１発光装置（例えば、後述の左センターライン左ＬＥＤ基板７４６Ｌ等）及び第２発光装置（例えば、後述の左センターライン右ＬＥＤ基板７４７Ｌ等）と、前記ライン状導光板の両端部を狭持して前記照明ユニット本体に保持する固定部材（例えば、後述のラインレンズカバー７４５Ｌ等）と、前記ライン状導光板の側面を覆って発光するサイドパネル（例えば、後述の透明赤色レンズ７４４Ｌ等）と、を備え、前記役物レンズユニットは、背面から入射された光を正面に放射する略円形状の役物メインレンズ（例えば、後述のセンター役物メインレンズ７３１等）と、前記役物メインレンズの外形に沿うように形成された複数の板状体であって、背後の側縁から入射された光を正面の側縁から放射する複数の板状体が重なって形成されている役物サブレンズ（例えば、後述のセンター役物サブレンズ７３２等）と、前記役物メインレンズの背面近傍に配置され、前記役物メインレンズの背面に向けて光を照射するメインレンズＬＥＤ基板（例えば、後述のメインレンズＬＥＤ基板７３６等）と、前記役物サブレンズを形成する複数の板状体の背後の側縁近傍に配置され、これら複数の板状体の背後の側縁に向けて光を照射するサブレンズＬＥＤ基板（例えば、後述のサブレンズＬＥＤ基板７３７等）と、を備え、前記サイドパネルは、前記ライン状導光板と離間して配され、前記発光制御手段は、演出内容に基づく光演出データに従って、前記メインレンズＬＥＤ基板及び前記サブレンズＬＥＤ基板の光度、前記サイドパネルの発光態様、前記第１発光装置及び前記第２発光装置の光度をそれぞれ調整すると共に、演出内容に基づく役物演出データに従って、前記駆動手段に前記各々のカバーを駆動させる制御を行うことを特徴とする遊技機。
さらに、本発明では、以下のようなものを提供する。
前記遊技機において、前記サイドパネルと前記ライン状導光板との間にメッキ部が配置されていることを特徴とする。
【０００８】
この遊技機によれば、端部から入射した光を側面から放射しライン状に発光するライン状導光板の両端部の近傍に、このライン状導光板の両端部に向けてそれぞれ光を照射する第１発光装置及び第２発光装置とを備えた。そして、これら第１発光装置及び第２発光装置の光度をそれぞれ調整する発光制御手段を備えた。
これにより、ライン状導光板の両端部から光を第１発光装置及び第２発光装置により照射することで、ライン状に発光する演出を行える。また、第１発光装置及び第２発光装置の光度をそれぞれ調整することで、光による演出を多様化できる。
【０００９】
例えば、光源（第１発光装置及び第２発光装置）の光度を小さくすると、この光源を中心とする所定の照度が得られる範囲は、小さくなる。一方、光源の光度を大きくすると、この光源を中心とする所定の照度が得られる範囲は、大きくなる。また、２つの光源（第１発光装置及び第２発光装置）の所定の照度が得られる範囲が重なる部分は、１つの光源によって所定の照度が得られる範囲より明るくなる。
【００１０】
すなわち、第１発光装置の所定の照度が得られる範囲と第２発光装置の所定の照度が得られる範囲とが重なる部分ができるように両者の光度を調整することで、他の部分より明るい部分を形成できる。そして、この明るい部分が維持できるように、一方の光度を小さくし他方の光度を大きくすることで、この明るい部分が流れるように移動する。
よって、光による明るい部分が流れるように移動する演出を行うことができる。
【００１１】
また、例えば、第１発光装置の発光色と第２発光装置の発光色を異なる色とすれば、上記明るい部分において、両発光装置の発光色による混色となる。そして、この混色が維持できるように、発光制御手段により、一方の光度を小さくし他方の光度を大きくすることで、この混色が流れるように移動する。
【００１２】
さらに、上記遊技機によれば、固定部材は、ライン状導光板をその両端部において狭持して、ライン状導光板、第１発光装置及び第２発光装置を収容する照明ユニット本体に保持した。これにより、ライン状導光板の発光による光の演出を妨げることなく、ライン状導光板を照明ユニット本体に保持できる。
また、サイドパネルは、ライン状導光板と離間しつつ、このライン状導光板の側面を覆って発光した。これにより、ライン状導光板の発光とサイドパネルの発光による光が混ざることなく、両者別個又は両者同時に発光させ、光による演出を多様化できる。
【発明の効果】
【００１３】
本発明によれば、光による演出を多様化できる遊技機を提供することができる。
【図面の簡単な説明】
【００１４】
【図１】本発明の実施形態におけるパチスロの機能フローを示す図である。
【図２】本発明の実施形態におけるパチスロの正面図である。
【図３】本発明の実施形態におけるパチスロの斜視図である。
【図４】本発明の実施形態におけるパチスロの回路構成を示す図である。
【図５】本発明の実施形態におけるパチスロの回路構成を示す図である。
【図６】本発明の実施形態におけるパチスロの表示部の分解図である。
【図７】本発明の実施形態におけるパチスロのセンター役物レンズユニット及びセンターサイドレンズユニットの正面図である。
【図８】本発明の実施形態におけるパチスロのサイド照明ユニットの正面図である。
【図９】本発明の実施形態におけるセンターラインレンズの発光態様の説明図である。（ａ）は、左センターライン左ＬＥＤ基板におけるＬＥＤの光度が、左センターライン右ＬＥＤ基板におけるＬＥＤの光度より小さく調整されている状態を示す図である。（ｂ）は、左センターライン左ＬＥＤ基板におけるＬＥＤの光度が、左センターライン右ＬＥＤ基板におけるＬＥＤの光度より大きく調整されている状態を示す図である。
【発明を実施するための形態】
【００１５】
［パチスロの機能フロー］
本発明の実施形態に係る遊技機について、以下図面を参照しながら説明する。はじめに、図１を参照して、本実施形態における遊技機（以下、パチスロ）１の機能フローについて説明する。
図１は、本発明の実施形態に係るパチスロ１の機能フローを示す図である。
【００１６】
遊技者によりメダルが投入され、スタートレバー６が操作されると、予め定められた数値の範囲（例えば、０〜６５５３５）の乱数から１つの値（以下、乱数値）が抽出される。
【００１７】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１８】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００１９】
ここで、パチスロ１では、基本的に、ストップボタンが押されたときから規定時間（１９０ｍｓｅｃ）内に、該当するリールの回転を停止する制御が行われる。本実施形態では、上記規定時間内でのリール３Ｌ，３Ｃ，３Ｒの回転に伴って移動する図柄の数を「滑り駒数」と呼び、その最大数を図柄４個分に定める。
【００２０】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００２１】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２２】
また、パチスロ１では、前述した一連の流れの中で、液晶表示装置５により行う映像の表示、照明ユニットとしてのセンター照明ユニット７０及びサイド照明ユニット７５Ｌ，７５Ｒにより行う発光、センター照明ユニット７０における駆動左上カバー７６１及び駆動左下カバー７６２等の駆動、スピーカ９Ｌ，９Ｒにより行う音の出力、或いはこれらの組合せを利用して様々な演出が行われる。
【００２３】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００２４】
演出内容が決定されると、演出実行手段（後述の液晶表示装置５、後述のスピーカ９Ｌ，９Ｒ、後述のセンター照明ユニット７０及びサイド照明ユニット７５Ｌ，７５Ｒ）は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２５】
［パチスロの全体構造］
パチスロ１の機能フローについての説明は以上である。次に、図２及び図３を参照して、本実施形態に係るパチスロ１について説明する。図２は、パチスロ１の正面図であり、図３は、パチスロ１の斜視図である。
【００２６】
パチスロ１は、リール３Ｌ，３Ｃ，３Ｒや回路基板等を収容する筐体となるキャビネット１ａと、キャビネット１ａの前面側（図３におけるＦ側）に対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄が回転方向に沿って連続的に配置された帯状のシートを貼り付けて構成されている。
【００２７】
フロントドア２は、遊技に関する情報を表示する表示部２１と、表示部２１の下方（図３におけるＢ側）に設けられ遊技者の操作を受け付ける操作部を設ける腰部２２と、腰部２２の下方に設けられ遊技媒体の払い出しを受け付ける受け皿部２３とを備える。
【００２８】
フロントドア２の表示部２１は、図柄表示領域２１Ｌ，２１Ｃ，２１Ｒを含む表示画面５ａを備える液晶表示装置５を備える。液晶表示装置５は、正面から見て３つのリール３Ｌ，３Ｃ，３Ｒに重畳する手前側（図３におけるＦ側）に位置するように設けられている。
【００２９】
また、表示部２１は、液晶表示装置５の周囲に配置され発光するセンター照明ユニット７０及びサイド照明ユニット７５Ｌ，７５Ｒを備える。センター照明ユニット７０は、液晶表示装置５の上側（図２におけるＴ側）に配置されている。サイド照明ユニット７５Ｌは、液晶表示装置５の左側（図２におけるＬ側）に配置されている。サイド照明ユニット７５Ｒは、液晶表示装置５の右側（図２におけるＲ２側）に配置されている。表示部２１の詳細は、後述する。
【００３０】
図柄表示領域２１Ｌ，２１Ｃ，２１Ｒは、３つのリール３Ｌ，３Ｃ，３Ｒのそれぞれに対応して設けられており、その背面側（図３におけるＲ側）に設けられたリール３Ｌ，３Ｃ，３Ｒを透過することが可能な構成を備えている。
【００３１】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。パチスロ１では、図柄表示領域２１Ｌ，２１Ｃ，２１Ｒを含めた表示画面５ａの全体を使って、映像の表示が行われ、演出が実行される。
【００３２】
図柄表示領域２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各図柄表示領域２１Ｌ，２１Ｃ，２１Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００３３】
フロントドア２の腰部２２は、遊技者による操作の対象となる各種装置（メダル投入口１０、ベットボタン１１、精算ボタン１２、スタートレバー６、ストップボタン７Ｌ，７Ｃ，７Ｒ）が設けられている。
【００３４】
メダル投入口１０は、遊技者によって外部から投下されるメダルを受け入れるために設けられる。メダル投入口１０に受け入れられたメダルは、所定枚数（例えば３枚）を上限として１回の遊技に投入され、所定枚数を超えた分はパチスロ１内部に預けることが可能となる（いわゆるクレジット機能）。
【００３５】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００３６】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００３７】
フロントドア２の受け皿部２３は、演出内容に応じた効果音や楽曲等の音を出力するスピーカ９Ｌ，９Ｒと、スピーカ９Ｌ，９Ｒの間に設けられパチスロ１から排出されるメダルを外部に導くメダル払出口１５と、メダル払出口１５から排出されるメダルを受けるメダル受皿１６と、を備える。
【００３８】
［パチスロが備える回路の構成］
次に、図４及び図５を参照して、本実施形態におけるパチスロ１が備える回路の構成について説明する。本実施形態におけるパチスロ１は、主制御回路７１、副制御回路７２及びこれらと電気的に接続する周辺装置（アクチュエータ）を備える。
【００３９】
＜主制御回路＞
図４は、主に本実施形態におけるパチスロ１の主制御回路７１の構成を示す。
【００４０】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００４１】
メインＲＯＭ３２には、メインＣＰＵ３１により実行される制御プログラム、内部当籤役を決定するための内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００４２】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００４３】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００４４】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００４５】
（周辺装置及び回路）
マイクロコンピュータ３０により動作が制御される周辺装置としては、ステッピングモータ４９Ｌ，４９Ｃ，４９Ｒ、７セグ表示器１３及びメダル払出装置（以降、ホッパーと称する）４０がある。また、マイクロコンピュータ３０の出力ポートには、各周辺装置の動作を制御するための回路が接続されている。
【００４６】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００４７】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力される毎に、リール３Ｌ，３Ｃ，３Ｒは一定の角度で回転する。
【００４８】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００４９】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００５０】
＜副制御回路＞
図５は、主に本実施形態におけるパチスロ１の副制御回路７２の構成を示す。
【００５１】
副制御回路７２は、主制御回路７１と電気的に接続されており、主制御回路７１から送信されるコマンドに基づいて演出内容の決定や実行等の処理を行う。副制御回路７２には、その動作が制御される周辺装置として、液晶表示装置５、スピーカ９Ｌ，９Ｒ、センター照明ユニット７０及びサイド照明ユニット７５Ｌ，７５Ｒが接続されている。
【００５２】
副制御回路７２は、演出内容により指定されたアニメーションデータに従って映像を作成し、作成した映像を液晶表示装置５により表示する。また、副制御回路７２は、演出内容により指定されたサウンドデータに従ってＢＧＭ等の音をスピーカ９Ｌ，９Ｒにより出力する。また、副制御回路７２は、演出内容により指定された役物演出データに従って、センター照明ユニット７０における駆動左上カバー７６１及び駆動左下カバー７６２等を駆動する制御を行う。さらに、副制御回路７２は、演出内容により指定された光演出データに従って、センター照明ユニット７０及びサイド照明ユニット７５Ｌ，７５Ｒの点灯又は消灯による発光態様、光度及び発光色を調整する制御を行う。
【００５３】
［表示部２１の構成］
次に、図６を参照して、表示部２１の構成について説明する。図６は、表示部２１の分解図である。
表示部２１は、液晶表示装置５が取付けられる液晶表示装置取付け部５ｂが形成された表示部内枠２１ａと、この表示部内枠２１ａの正面側（図６におけるＦ側）に取付けられる表示部外枠２１ｂとを備える。
【００５４】
表示部内枠２１ａには、液晶表示装置取付け部５ｂの左右両側（図６におけるＬ，Ｒ２側）にサイド照明ユニット７５Ｌ，７５Ｒが設けられ、液晶表示装置取付け部５ｂの上側（図６におけるＴ側）にセンター照明ユニット７０が取付けられるセンター照明ユニット取付け受け部７０ａが形成されている。
【００５５】
表示部外枠２１ｂには、表示部内枠２１ａのセンター照明ユニット取付け受け部７０ａと係合して、センター照明ユニット７０を保持するセンター照明ユニット取付け保持部７０ｂが形成されている。また、表示部外枠２１ｂには、センター照明ユニット取付け保持部７０ｂを覆うセンター照明ユニットカバー７０ｃが取付けられている。
【００５６】
サイド照明ユニット７５Ｌ，７５Ｒについては、後述する。
センター照明ユニット７０は、副制御回路７２に制御される駆動部７００と、駆動部７００を収容する照明ユニット本体としての役物ベース７０１と、駆動部７００により駆動される駆動左上カバー７６１、駆動左下カバー７６２、駆動センター上カバー７６３、駆動センター下カバー７６４、駆動右上カバー７６５及び駆動右下カバー７６６と、役物ベース７０１に収容され駆動センター上カバー７６３及び駆動センター下カバー７６４の背後に設けられたセンター役物レンズユニット７３０と、役物ベース７０１に収容され駆動左上カバー７６１及び駆動左下カバー７６２の背後に設けられたセンターサイドレンズユニット７４０Ｌと、役物ベース７０１に収容され駆動右上カバー７６５及び駆動右下カバー７６６の背後に設けられたセンターサイドレンズユニット７４０Ｒと、を備える。
【００５７】
駆動部７００は、駆動左上カバー７６１及び駆動左下カバー７６２と、駆動センター上カバー７６３及び駆動センター下カバー７６４と、駆動右上カバー７６５及び駆動右下カバー７６６と、をそれぞれ駆動する。
役物ベース７０１は、正面側（図６におけるＦ側）が開放された箱状体に形成されている。
【００５８】
駆動左上カバー７６１、駆動左下カバー７６２、駆動センター上カバー７６３、駆動センター下カバー７６４、駆動右上カバー７６５及び駆動右下カバー７６６は、役物ベース７０１の開放された正面側に配置されている。
駆動左上カバー７６１及び駆動左下カバー７６２は、連動して互いに離間する方向又は互いに近接する方向に回動する。駆動センター上カバー７６３及び駆動センター下カバー７６４は、連動して互いに離間する方向又は互いに近接する方向に回動する。駆動右上カバー７６５及び駆動右下カバー７６６は、連動して互いに離間する方向又は互いに近接する方向に回動する。
【００５９】
センターサイドレンズユニット７４０Ｌは、駆動左上カバー７６１及び駆動左下カバー７６２が連動して互いに離間する方向に回動すると視認可能となり、これらが連動して互いに近接する方向に回動すると駆動左上カバー７６１及び駆動左下カバー７６２に遮蔽されることとなる。
すなわち、駆動左上カバー７６１及び駆動左下カバー７６２は、センターサイドレンズユニット７４０Ｌを遮蔽する閉状態及びセンターサイドレンズユニット７４０Ｌが視認可能となる開状態の双方向に移行可能に構成されている。
センターサイドレンズユニット７４０Ｌの詳細については、後述する。
【００６０】
センター役物レンズユニット７３０は、駆動センター上カバー７６３及び駆動センター下カバー７６４が連動して互いに離間する方向に回動すると視認可能となり、これらが連動して互いに近接する方向に回動すると駆動センター上カバー７６３及び駆動センター下カバー７６４に遮蔽されることとなる。すなわち、駆動センター上カバー７６３及び駆動センター下カバー７６４は、センター役物レンズユニット７３０を遮蔽する閉状態及びセンター役物レンズユニット７３０が視認可能となる開状態の双方向に移行可能に構成されている。
センター役物レンズユニット７３０の詳細については、後述する。
【００６１】
センターサイドレンズユニット７４０Ｒは、駆動右上カバー７６５及び駆動右下カバー７６６が連動して互いに離間する方向に回動すると視認可能となり、これらが連動して互いに近接する方向に回動すると駆動右上カバー７６５及び駆動右下カバー７６６に遮蔽されることとなる。すなわち、駆動右上カバー７６５及び駆動右下カバー７６６は、センターサイドレンズユニット７４０Ｒを遮蔽する閉状態及びセンターサイドレンズユニット７４０Ｒが視認可能となる開状態の双方向に移行可能に構成されている。
センターサイドレンズユニット７４０Ｒの詳細については、後述する。
【００６２】
センター照明ユニットカバー７０ｃは、透明部材で形成され、センター照明ユニット７０が視認可能に形成されている。
【００６３】
［センター役物レンズユニット７３０、センターサイドレンズユニット７４０Ｌ及びセンターサイドレンズユニット７４０Ｒの構成］
次に、図７を参照して、センター照明ユニット７０のセンター役物レンズユニット７３０、センターサイドレンズユニット７４０Ｌ及びセンターサイドレンズユニット７４０Ｒの構成について説明する。図７は、センター役物レンズユニット７３０、センターサイドレンズユニット７４０Ｌ及びセンターサイドレンズユニット７４０Ｒの正面図である。
【００６４】
〈センター役物レンズユニット７３０の構成〉
センター役物レンズユニット７３０の構成について説明する。
センター役物レンズユニット７３０は、その略中心に配置されたセンター役物メインレンズ７３１と、センター役物メインレンズ７３１の周囲に配置されたセンター役物サブレンズ７３２と、センター役物メインレンズ７３１の背後に配置されたメインレンズＬＥＤ基板７３６と、センター役物サブレンズ７３２の背後に配置されたサブレンズＬＥＤ基板７３７と、を備える。
【００６５】
センター役物メインレンズ７３１は、略円形状のレンズであり、背面から入射された光を正面に放射する。
センター役物サブレンズ７３２は、センター役物メインレンズ７３１の外形に沿うように形成された複数の板状体を重ねて形成されている。この板状体は、背後の側縁から入射された光を正面の側縁から放射する。
【００６６】
メインレンズＬＥＤ基板７３６は、センター役物メインレンズ７３１の背面近傍に配置され、センター役物メインレンズ７３１の背面に向けて光りを照射するＬＥＤを備える。
サブレンズＬＥＤ基板７３７は、センター役物サブレンズ７３２を形成する複数の板状体の背後の側縁近傍に配置され、これら複数の板状体の背後の側縁に向けて光りを照射するＬＥＤを備える。
【００６７】
〈センターサイドレンズユニット７４０Ｌ及びセンターサイドレンズユニット７４０Ｒの構成〉
センターサイドレンズユニット７４０Ｌ及びセンターサイドレンズユニット７４０Ｒの構成について説明する。センターサイドレンズユニット７４０Ｌとセンターサイドレンズユニット７４０Ｒとは、センター役物レンズユニット７３０を挟んで、左右対称に配置されている。
【００６８】
（センターサイドレンズユニット７４０Ｌの構成）
まず、センターサイドレンズユニット７４０Ｌの構成について説明する。
センターサイドレンズユニット７４０Ｌは、その略中央水平方向（図７におけるＬ−Ｒ２方向）に延びるライン状導光板としてのセンターラインレンズ７４１Ｌと、センターラインレンズ７４１Ｌに沿って延びる透明レンズ７４２Ｌと、透明レンズ７４２Ｌに沿って延びるメッキ部７４３Ｌと、メッキ部７４３Ｌに沿って延びるサイドパネルとしての透明赤色レンズ７４４Ｌと、センターラインレンズ７４１Ｌの両端部に配置された固定部材としてのラインレンズカバー７４５Ｌと、センターラインレンズ７４１Ｌの左端部（図７におけるＬ側）近傍に配置された第１発光装置としての左センターライン左ＬＥＤ基板７４６Ｌと、センターラインレンズ７４１Ｌの右端部（図７におけるＲ２側）近傍に配置された第２発光装置としての左センターライン右ＬＥＤ基板７４７Ｌと、透明レンズ７４２Ｌ及び透明赤色レンズ７４４Ｌの背後に配置された左サイドレンズＬＥＤ基板７４８Ｌと、を備える。
【００６９】
センターラインレンズ７４１Ｌは、棒状体であり、端部から入射した光を側面から放射しライン状に発光する。センターラインレンズ７４１Ｌは、透明アクリルスティックで形成され、背面側が白色塗装され、両端部から入射された光を背面側に照射しないように構成されている。
【００７０】
透明レンズ７４２Ｌは、センターラインレンズ７４１Ｌの側面に沿うように形成されている。透明レンズ７４２Ｌは、透明の塩化ビニル樹脂で形成され、背後の側縁から入射された光を正面の側縁から放射する。透明レンズ７４２Ｌは、センターラインレンズ７４１Ｌと離間して配置されている。
【００７１】
メッキ部７４３Ｌは、センターラインレンズ７４１Ｌ及び透明レンズ７４２Ｌと透明赤色レンズ７４４Ｌとの間に配置され、一方の光が他方へ入射し両者の光が混同するのを防止するように構成されている。すなわち、透明赤色レンズ７４４Ｌは、メッキ部７４３Ｌにより、センターラインレンズ７４１Ｌ及び透明レンズ７４２Ｌと離間して配置されている。
【００７２】
透明赤色レンズ７４４Ｌは、透明レンズ７４２Ｌ及びメッキ部７４３Ｌの側面に沿うように形成されている。透明赤色レンズ７４４Ｌは、透明赤色の塩化ビニル樹脂で形成され、背後の側縁から入射された光を正面の側縁から放射する。透明赤色レンズ７４４Ｌは、センターラインレンズ７４１Ｌと離間して配置されている。
【００７３】
固定部材としてのラインレンズカバー７４５Ｌは、センターラインレンズ７４１Ｌの両端部を狭持して役物ベース７０１に保持する。
【００７４】
左センターライン左ＬＥＤ基板７４６Ｌは、センターラインレンズ７４１Ｌの左端部に向けて光りを照射するフルカラーＬＥＤを備える。
左センターライン右ＬＥＤ基板７４７Ｌは、センターラインレンズ７４１Ｌの右端部に向けて光りを照射するフルカラーＬＥＤを備える。
左サイドレンズＬＥＤ基板７４８Ｌは、透明レンズ７４２Ｌ及び透明赤色レンズ７４４Ｌの背後の側縁に向けて光りを照射するフルカラーＬＥＤを備える。
【００７５】
（センターサイドレンズユニット７４０Ｒの構成）
次に、センターサイドレンズユニット７４０Ｒの構成について説明する。
センターサイドレンズユニット７４０Ｒは、その略中央水平方向に延びるライン状導光板としてのセンターラインレンズ７４１Ｒと、センターラインレンズ７４１Ｒに沿って延びる透明レンズ７４２Ｒと、透明レンズ７４２Ｒに沿って延びるメッキ部７４３Ｒと、メッキ部７４３Ｒに沿って延びるサイドパネルとしての透明赤色レンズ７４４Ｒと、センターラインレンズ７４１Ｒの両端部に配置された固定部材としてのラインレンズカバー７４５Ｒと、センターラインレンズ７４１Ｒの左端部（図７におけるＬ側）近傍に配置された第１発光装置としての右センターライン左ＬＥＤ基板７４６Ｒと、センターラインレンズ７４１Ｒの右端部（図７におけるＲ２側）近傍に配置された第２発光装置としての右センターライン右ＬＥＤ基板７４７Ｒと、透明レンズ７４２Ｒ及び透明赤色レンズ７４４Ｒの背後に配置された右サイドレンズＬＥＤ基板７４８Ｒとを備える。
【００７６】
センターラインレンズ７４１Ｒは、棒状体であり、端部から入射した光を側面から放射しライン状に発光する。センターラインレンズ７４１Ｒは、透明アクリルスティックで形成され、背面側が白色塗装され、両端部から入射された光を背面側に照射しないように構成されている。
【００７７】
透明レンズ７４２Ｒは、センターラインレンズ７４１Ｒの側面に沿うように形成されている。透明レンズ７４２Ｒは、透明の塩化ビニル樹脂で形成され、背後の側縁から入射された光を正面の側縁から放射する。透明レンズ７４２Ｒは、センターラインレンズ７４１Ｒと離間して配置されている。
【００７８】
メッキ部７４３Ｒは、センターラインレンズ７４１Ｒ及び透明レンズ７４２Ｒと透明赤色レンズ７４４Ｒとの間に配置され、一方の光が他方へ入射し両者の光が混同するのを防止するように構成されている。すなわち、透明赤色レンズ７４４Ｒは、メッキ部７４３Ｒにより、センターラインレンズ７４１Ｒ及び透明レンズ７４２Ｒと離間して配置されている。
【００７９】
透明赤色レンズ７４４Ｒは、透明レンズ７４２Ｒ及びメッキ部７４３Ｒの側面に沿うように形成されている。透明赤色レンズ７４４Ｒは、透明赤色の塩化ビニル樹脂で形成され、背後の側縁から入射された光を正面の側縁から放射する。透明赤色レンズ７４４Ｒは、センターラインレンズ７４１Ｒと離間して配置されている。
【００８０】
固定部材としてのラインレンズカバー７４５Ｒは、センターラインレンズ７４１Ｒの両端部を狭持して役物ベース７０１に保持する。
【００８１】
右センターライン左ＬＥＤ基板７４６Ｒは、センターラインレンズ７４１Ｒの左端部に向けて光りを照射するフルカラーＬＥＤを備える。
右センターライン右ＬＥＤ基板７４７Ｒは、センターラインレンズ７４１Ｒの右端部に向けて光りを照射するフルカラーＬＥＤを備える。
右サイドレンズＬＥＤ基板７４８Ｒは、透明レンズ７４２Ｒ及び透明赤色レンズ７４４Ｒの背後の側縁に向けて光りを照射するフルカラーＬＥＤを備える。
【００８２】
［サイド照明ユニット７５Ｌ及びサイド照明ユニット７５Ｒの構成］
次に、図８を参照して、サイド照明ユニット７５Ｌ及びサイド照明ユニット７５Ｒの構成について説明する。図８は、サイド照明ユニット７５Ｌ及びサイド照明ユニット７５Ｒの正面図である。サイド照明ユニット７５Ｌとサイド照明ユニット７５Ｒとは、液晶表示装置５の表示画面５ａ（図２参照）を挟んで、左右対称に配置されている。
【００８３】
〈サイド照明ユニット７５Ｌの構成〉
サイド照明ユニット７５Ｌの構成について説明する。
サイド照明ユニット７５Ｌは、下側（図８におけるＢ側）から、その略中央垂直方向（図８におけるＢ−Ｔ方向）に延びるライン状導光板としてのサイドラインレンズ７５１Ｌと、サイドラインレンズ７５１Ｌの上側（図８におけるＴ側）端部近傍から水平方向（図８におけるＬ−Ｒ２方向）に湾曲するコーナーラインレンズ７５２Ｌと、サイドラインレンズ７５１Ｌに沿って延びるサイドパネルとしてのサイドレンズ７５３Ｌと、コーナーラインレンズ７５２Ｌに沿って湾曲するサイドパネルとしてのコーナーサイドレンズ７５４Ｌと、サイドラインレンズ７５１Ｌの下端部（図８におけるＢ側）近傍に配置されたライン下左ＬＥＤ基板７５５Ｌと、サイドラインレンズ７５１Ｌの上端部（図８におけるＴ側）及びサイドラインレンズ７５１Ｌの上側端部近傍に位置するコーナーラインレンズ７５２Ｌの端部近傍に配置されたライン左中ＬＥＤ基板７５６Ｌと、コーナーラインレンズ７５２Ｌの水平方向に延びる部分の端部近傍に配置されたライン左上ＬＥＤ基板７５７Ｌと、サイドレンズ７５３Ｌの背後に配置されたサイドレンズ左ＬＥＤ基板７５８Ｌと、コーナーサイドレンズ７５４Ｒの背後に配置されたコーナーサイドレンズ左ＬＥＤ基板７５９Ｌと、を備える。
【００８４】
サイドラインレンズ７５１Ｌは、棒状体であり、端部から入射した光を側面から放射しライン状に発光する。サイドラインレンズ７５１Ｌは、透明アクリルスティックで形成され、背面側が白色塗装され、両端部から入射された光を背面側に照射しないように構成されている。
【００８５】
コーナーラインレンズ７５２Ｌは、湾曲する棒状体であり、端部から入射した光を側面から放射しライン状に発光する。コーナーラインレンズ７５２Ｌは、透明アクリルスティックで形成され、背面側が白色塗装され、両端部から入射された光を背面側に照射しないように構成されている。
【００８６】
サイドレンズ７５３Ｌは、サイドラインレンズ７５１Ｌの側面に沿うように形成されている。サイドレンズ７５３Ｌは、透明の塩化ビニル樹脂で形成され、背後の側縁から入射された光を正面の側縁から放射する。サイドレンズ７５３Ｌは、サイドラインレンズ７５１Ｌと離間して配置されている。
【００８７】
コーナーサイドレンズ７５４Ｌは、コーナーラインレンズ７５２Ｌの側面に沿うように形成されている。コーナーサイドレンズ７５４Ｌは、透明の塩化ビニル樹脂で形成され、背後の側縁から入射された光を正面の側縁から放射する。コーナーサイドレンズ７５４Ｌは、コーナーラインレンズ７５２Ｌと離間して配置されている。
【００８８】
ライン下左ＬＥＤ基板７５５Ｌは、サイドラインレンズ７５１Ｌの下側端部に向けて光りを照射するフルカラーＬＥＤを備える。ライン下左ＬＥＤ基板７５５Ｌは、サイドラインレンズ７５１Ｌの端部に向けて光を照射する第１発光装置として機能する。
【００８９】
ライン左中ＬＥＤ基板７５６Ｌは、サイドラインレンズ７５１Ｌの上側端部に向けて光りを照射するフルカラーＬＥＤを備えるとともに、サイドラインレンズ７５１Ｌの上側端部近傍に位置するコーナーラインレンズ７５２Ｌの端部に向けて光りを照射するＬＥＤを備える。ライン左中ＬＥＤ基板７５６Ｌは、サイドラインレンズ７５１Ｌの端部に向けて光を照射する第２発光装置として機能するとともに、コーナーラインレンズ７５２Ｌの端部に向けて光を照射する第１発光装置として機能する。
【００９０】
ライン左上ＬＥＤ基板７５７Ｌは、コーナーラインレンズ７５２Ｌの水平方向に延びる部分の端部に向けて光りを照射するフルカラーＬＥＤを備える。ライン左上ＬＥＤ基板７５７Ｌは、コーナーラインレンズ７５２Ｌの端部に向けて光を照射する第２発光装置として機能する。
【００９１】
サイドレンズ左ＬＥＤ基板７５８Ｌは、サイドレンズ７５３Ｌの背後の側縁に向けて光りを照射するフルカラーＬＥＤを備える。
コーナーサイドレンズ左ＬＥＤ基板７５９Ｌは、コーナーサイドレンズ７５４Ｌの背後の側縁に向けて光りを照射するフルカラーＬＥＤを備える。
【００９２】
〈サイド照明ユニット７５Ｒの構成〉
次に、サイド照明ユニット７５Ｒの構成について説明する。
サイド照明ユニット７５Ｒは、下側（図８におけるＢ側）から、その略中央垂直方向（図８におけるＢ−Ｔ方向）に延びるライン状導光板としてのサイドラインレンズ７５１Ｒと、サイドラインレンズ７５１Ｒの上側（図８におけるＴ側）端部近傍から水平方向（図８におけるＬ−Ｒ２方向）に湾曲するコーナーラインレンズ７５２Ｒと、サイドラインレンズ７５１Ｒに沿って延びるサイドパネルとしてのサイドレンズ７５３Ｒと、コーナーラインレンズ７５２Ｒに沿って湾曲するサイドパネルとしてのコーナーサイドレンズ７５４Ｒと、サイドラインレンズ７５１Ｒの下端部（図８におけるＢ側）近傍に配置されたライン下右ＬＥＤ基板７５５Ｒと、サイドラインレンズ７５１Ｒの上端部（図８におけるＴ側）及びサイドラインレンズ７５１Ｒの上側端部近傍に位置するコーナーラインレンズ７５２Ｒの端部近傍に配置されたライン右中ＬＥＤ基板７５６Ｒと、コーナーラインレンズ７５２Ｒの水平方向に延びる部分の端部近傍に配置されたライン右上ＬＥＤ基板７５７Ｒと、サイドレンズ７５３Ｒの背後に配置されたサイドレンズ右ＬＥＤ基板７５８Ｒと、コーナーサイドレンズ７５４Ｒの背後に配置されたコーナーサイドレンズ右ＬＥＤ基板７５９Ｒと、を備える。
【００９３】
サイドラインレンズ７５１Ｒは、棒状体であり、端部から入射した光を側面から放射しライン状に発光する。サイドラインレンズ７５１Ｒは、透明アクリルスティックで形成され、背面側が白色塗装され、両端部から入射された光を背面側に照射しないように構成されている。
【００９４】
コーナーラインレンズ７５２Ｒは、湾曲する棒状体であり、端部から入射した光を側面から放射しライン状に発光する。コーナーラインレンズ７５２Ｒは、透明アクリルスティックで形成され、背面側が白色塗装され、両端部から入射された光を背面側に照射しないように構成されている。
【００９５】
サイドレンズ７５３Ｒは、サイドラインレンズ７５１Ｒの側面に沿うように形成されている。サイドレンズ７５３Ｒは、透明の塩化ビニル樹脂で形成され、背後の側縁から入射された光を正面の側縁から放射する。サイドレンズ７５３Ｒは、サイドラインレンズ７５１Ｒと離間して配置されている。
【００９６】
コーナーサイドレンズ７５４Ｒは、コーナーラインレンズ７５２Ｒの側面に沿うように形成されている。コーナーサイドレンズ７５４Ｒは、透明の塩化ビニル樹脂で形成され、背後の側縁から入射された光を正面の側縁から放射する。コーナーサイドレンズ７５４Ｒは、コーナーラインレンズ７５２Ｒと離間して配置されている。
【００９７】
ライン下右ＬＥＤ基板７５５Ｒは、サイドラインレンズ７５１Ｒの下側端部に向けて光りを照射するフルカラーＬＥＤを備える。ライン下右ＬＥＤ基板７５５Ｒは、サイドラインレンズ７５１Ｒの端部に向けて光を照射する第１発光装置として機能する。
【００９８】
ライン右中ＬＥＤ基板７５６Ｒは、サイドラインレンズ７５１Ｒの上側端部に向けて光りを照射するフルカラーＬＥＤを備えるとともに、サイドラインレンズ７５１Ｒの上側端部近傍に位置するコーナーラインレンズ７５２Ｒの端部に向けて光りを照射するＬＥＤを備える。ライン右中ＲＥＤ基板７５６Ｒは、サイドラインレンズ７５１Ｒの端部に向けて光を照射する第２発光装置として機能するとともに、コーナーラインレンズ７５２Ｒの端部に向けて光を照射する第１発光装置として機能する。
【００９９】
ライン右上ＬＥＤ基板７５７Ｒは、コーナーラインレンズ７５２Ｒの水平方向に延びる部分の端部に向けて光りを照射するフルカラーＬＥＤを備える。ライン右上ＬＥＤ基板７５７Ｒは、コーナーラインレンズ７５２Ｒの端部に向けて光を照射する第２発光装置として機能する。
【０１００】
サイドレンズ右ＬＥＤ基板７５８Ｒは、サイドレンズ７５３Ｒの背後の側縁に向けて光りを照射するフルカラーＬＥＤを備える。
コーナーサイドレンズ右ＬＥＤ基板７５９Ｒは、コーナーサイドレンズ７５４Ｒの背後の側縁に向けて光りを照射するフルカラーＬＥＤを備える。
【０１０１】
［センターサイドレンズユニット７４０Ｌのセンターラインレンズ７４１Ｌにおける演出］
次に、図９を参照して、センターサイドレンズユニット７４０Ｌのセンターラインレンズ７４１Ｌにおける演出について説明する。図９（ａ）（ｂ）は、センターラインレンズ７４１Ｌの発光態様の説明図である。
【０１０２】
図９（ａ）では、副制御回路７２の制御により、左センターライン左ＬＥＤ基板７４６ＬにおけるＬＥＤの光度が、左センターライン右ＬＥＤ基板７４７ＬにおけるＬＥＤの光度より小さく調整されている。
図９（ｂ）では、副制御回路７２の制御により、左センターライン左ＬＥＤ基板７４６ＬにおけるＬＥＤの光度が、左センターライン右ＬＥＤ基板７４７ＬにおけるＬＥＤの光度より大きく調整されている。
【０１０３】
副制御回路７２の制御により、図９（ａ）の状態から図９（ｂ）の状態に移行させた場合のセンターラインレンズ７４１Ｌの発光態様による演出について説明する。
まず、図９（ａ）の状態におけるセンターラインレンズ７４１Ｌの発光態様は、左センターライン左ＬＥＤ基板７４６Ｌにより所定の照度が得られる範囲８００Ｌが、左センターライン右ＬＥＤ基板７４７Ｌにより所定の照度が得られる範囲８００Ｒより狭くなり、これらの範囲が重なる部分８００Ｃが左側（図９におけるＬ側）に寄っている。
この後、図９（ｂ）の状態に移行する。すなわち、副制御回路７２は、左センターライン左ＬＥＤ基板７４６Ｌの光度を大きくする制御と同期させて、左センターライン右ＬＥＤ基板７４７Ｌの光度を小さくする制御を行う。
このとき、センターラインレンズ７４１Ｌの発光態様は、左センターライン左ＬＥＤ基板７４６Ｌにより所定の照度が得られる範囲８００Ｌが、左センターライン右ＬＥＤ基板７４７Ｌにより所定の照度が得られる範囲８００Ｒより広くなっていき、これらの範囲が重なる部分８００Ｃが左側（図９におけるＬ側）から右側（図９におけるＲ２側）に移動する。
【０１０４】
すなわち、センターラインレンズ７４１Ｌにおいて、左センターライン左ＬＥＤ基板７４６Ｌ及び左センターライン右ＬＥＤ基板７４７Ｌによる光が重なり、他の部分より明るい部分が左側から右側に流れる演出が行われる。
【０１０５】
また、例えば、左センターライン左ＬＥＤ基板７４６ＬのＬＥＤを任意の第１発光色（例えば、赤色）とし、左センターライン右ＬＥＤ基板７４７ＬのＬＥＤを上記第１発光色とは異なる任意の第２発光色（例えば、青色）とする。これにより、範囲８００Ｌは、第１発光色（例えば、赤色）となり、範囲８００Ｒは、第２発光色（例えば、青色）となり、範囲が重なる部分８００Ｃは、第１発光色と第２発光色の混色（例えば、紫色）となる。そして、副制御回路７２により、範囲が重なる部分８００Ｃを維持するように、左センターライン左ＬＥＤ基板７４６Ｌの光度を大きくする制御と同期させて、左センターライン右ＬＥＤ基板７４７Ｌの光度を小さくする制御を行う。すると、センターラインレンズ７４１Ｌの発光態様は、第１発光色により発光する範囲が広がり、第２発光色により発光する範囲が狭くなるとともに、混色により発光する部分が左側（図９におけるＬ側）から右側（図９におけるＲ２側）に移動する。
【０１０６】
本実施形態によれば、以下の効果を奏する。
本実施形態のパチスロ１によれば、センターラインレンズ７４１Ｌの両端部から光を左センターライン左ＬＥＤ基板７４６Ｌ及び左センターライン右ＬＥＤ基板７４７Ｌにより照射することで、ライン状に発光する演出を行える。また、左センターライン左ＬＥＤ基板７４６Ｌ及び左センターライン右ＬＥＤ基板７４７ＬのＬＥＤの光度をそれぞれ調整することで、光による演出を多様化できる。
【０１０７】
例えば、光源（左センターライン左ＬＥＤ基板７４６ＬのＬＥＤ及び左センターライン右ＬＥＤ基板７４７ＬのＬＥＤ）の光度を小さくすると、この光源を中心とする所定の照度が得られる範囲は、小さくなる。一方、光源の光度を大きくすると、この光源を中心とする所定の照度が得られる範囲は、大きくなる。また、２つの光源（左センターライン左ＬＥＤ基板７４６ＬのＬＥＤ及び左センターライン右ＬＥＤ基板７４７ＬのＬＥＤ）の所定の照度が得られる範囲が重なる部分は、１つの光源によって所定の照度が得られる範囲より明るくなる。
【０１０８】
すなわち、左センターライン左ＬＥＤ基板７４６ＬのＬＥＤの所定の照度が得られる範囲と左センターライン右ＬＥＤ基板７４７ＬのＬＥＤの所定の照度が得られる範囲とが重なる部分ができるように両者の光度を調整することで、他の部分より明るい部分を形成できる。そして、この明るい部分が維持できるように、一方の光度を小さくし他方の光度を大きくすることで、この明るい部分が流れるように移動する。
よって、光による明るい部分が流れるように移動する演出を行うことができる。
【０１０９】
また、例えば、左センターライン左ＬＥＤ基板７４６ＬのＬＥＤの発光色と左センターライン右ＬＥＤ基板７４７ＬのＬＥＤの発光色を異なる色とすれば、上記明るい部分において、両ＬＥＤの発光色による混色となる。そして、この混色が維持できるように、副制御回路７２により、一方の光度を小さくし他方の光度を大きくすることで、この混色が流れるように移動する。
【０１１０】
また、ラインレンズカバー７４５Ｌは、センターラインレンズ７４１Ｌをその両端部において狭持して、センターラインレンズ７４１Ｌ、左センターライン左ＬＥＤ基板７４６Ｌ及び左センターライン右ＬＥＤ基板７４７Ｌを収容する役物ベース７０１に保持した。これにより、センターラインレンズ７４１Ｌの発光による光の演出を妨げることなく、センターラインレンズ７４１Ｌを役物ベース７０１に保持できる。
【０１１１】
また、透明赤色レンズ７４４Ｌは、センターラインレンズ７４１Ｌと離間しつつ、このセンターラインレンズ７４１Ｌの側面を覆って発光した。これにより、センターラインレンズ７４１Ｌの発光と透明赤色レンズ７４４Ｌの発光による光が混ざることなく、両者別個又は両者同時に発光させ、光による演出を多様化できる。
【０１１２】
以上、実施形態について説明したが、本発明はこれに限られるものではない。
本実施形態では、例えば、センターラインレンズ７４１Ｌを透明アクリルスティックで形成しているが、これに限られるものではなく、センターラインレンズ７４１Ｌは、端部から入射した光を側面から放射可能な素材であれば、このような素材で形成することができる。
【０１１３】
また、本実施形態では、例えば、センターラインレンズ７４１Ｌの背面側が白色塗装することで、両端部から入射された光を背面側に照射しないように構成しているが、これに限られるものではなく、例えば、断面略コの字状の金属板からなるリフレクタによりセンターラインレンズ７４１Ｌの背面側を狭持し保持することで、両端部から入射された光を背面側に照射しないように構成できるとともに、他に固定部材を設けなくても、センターラインレンズ７４１Ｌを役物ベース７０１に保持できる。
【０１１４】
また、本実施形態では、固定部材として、例えば、センターラインレンズ７４１Ｌの両端部を狭持して役物ベース７０１に保持するラインレンズカバー７４５Ｌを備えているが、これに限られるものではなく、固定部材は、ライン状導光板の両端部を狭持して照明ユニット本体に保持できるものであれば、例えば、ライン状導光板の両端部が着脱可能に構成された弾性素材によって略Ｃ字状に形成された部材や、照明ユニット本体に形成されたライン状導光板の両端部を狭持して保持する保持部とすることができる。
【０１１５】
また、本実施形態では、センター照明ユニット７０及びサイド照明ユニット７５Ｌ，７５Ｒの点灯又は消灯による発光態様、光度及び発光色を調整する制御を副制御回路７２により行っているが、これに限られるものではなく、これらの制御を主制御回路７１により行うこともできる。
【０１１６】
また、本実施形態では、センター照明ユニット７０及びサイド照明ユニット７５Ｌ，７５ＲのＬＥＤをフルカラーＬＥＤとしているが、これに限られるものではなく、ＬＥＤは、白色、青色、赤色等の単色とすることができる。
【０１１７】
さらに、本実施例のようなパチスロ１の他、パチンコ遊技機、ストップボタン７Ｌ，７Ｃ，７Ｒを備えないスロットマシン等の他の遊技機にも本発明を適用できる。
【符号の説明】
【０１１８】
１  パチスロ
７０  センター照明ユニット
７０ａ  受け部
７０ｂ  保持部
７０ｃ  センター照明ユニットカバー
７２  副制御回路
７５Ｌ、７５Ｒ  サイド照明ユニット
７００  駆動部
７０１  役物ベース
７３０  センター役物レンズユニット
７３１  センター役物メインレンズ
７３２  センター役物サブレンズ
７３６  メインレンズＬＥＤ基板
７３７  サブレンズＬＥＤ基板
７４０Ｌ、７４０Ｒ  センターサイドレンズユニット
７４１Ｌ、７４１Ｒ  センターラインレンズ
７４２Ｌ、７４２Ｒ  透明レンズ
７４３Ｌ、７４３Ｒ  メッキ部
７４４Ｌ、７４４Ｒ  透明赤色レンズ
７４５Ｌ、７４５Ｒ  ラインレンズカバー
７４６Ｌ  左センターライン左ＬＥＤ基板
７４６Ｒ  右センターライン左ＬＥＤ基板
７４７Ｌ  左センターライン右ＬＥＤ基板
７４７Ｒ  右センターライン右ＬＥＤ基板
７４８Ｌ  左サイドレンズＬＥＤ基板
７４８Ｒ  右サイドレンズＬＥＤ基板
７５１Ｌ、７５１Ｒ  サイドラインレンズ
７５２Ｌ、７５２Ｒ  コーナーラインレンズ
７５３Ｌ、７５３Ｒ  サイドレンズ
７５４Ｌ、７５４Ｒ  コーナーサイドレンズ
７５５Ｌ  ライン下左ＬＥＤ基板
７５５Ｒ  ライン下右ＬＥＤ基板
７５６Ｌ  ライン左中ＬＥＤ基板
７５６Ｒ  ライン右中ＬＥＤ基板
７５７Ｌ  ライン左上ＬＥＤ基板
７５７Ｒ  ライン右上ＬＥＤ基板
７５８Ｌ  サイドレンズ左ＬＥＤ基板
７５８Ｒ  サイドレンズ右ＬＥＤ基板
７５９Ｌ  コーナーサイドレンズ左ＬＥＤ基板
７５９Ｒ  コーナーサイドレンズ右ＬＥＤ基板
７６１  駆動左上カバー
７６２  駆動左下カバー
７６３  駆動センター上カバー
７６４  駆動センター下カバー
７６５  駆動右上カバー
７６６  駆動右下カバー
【図１】
0005606038.tif 000002
【図２】
0005606038.tif 000003
【図３】
0005606038.tif 000004
【図４】
0005606038.tif 000005
【図５】
0005606038.tif 000006
【図６】
0005606038.tif 000007
【図７】
0005606038.tif 000008
【図８】
0005606038.tif 000009
【図９】
0005606038.tif 000010